(57)【特許請求の範囲】
【請求項１】
患部を覆うための袋状のカバーと、前記患部を前記袋状のカバー内に挿入するための開口部と、前記袋状のカバーを身体に固着するために前記開口部に設けられたシール手段と、前記袋状のカバーの内部を吸引する吸引手段に接続するための連通部と、を備える創傷用バッグにおいて、
前記シール手段は、前記袋状のカバーに接合され、
前記開口部は、前記袋状のカバーの端部から所定距離内側に、前記シール手段と前記袋状のカバーとに跨って形成された、創傷用バッグ。
【請求項２】
患部を覆うための袋状のカバーと、前記患部を前記袋状のカバー内に挿入するための開口部と、前記袋状のカバーを身体に固着するために前記開口部に設けられたシール手段と、前記袋状のカバーの内部を吸引する吸引手段に接続するための連通部と、を備える創傷用バッグにおいて、
前記袋状のカバーは上下面を備えており、
前記開口部は、カバーの上面および／または下面の端部から所定距離内側に形成されており、
前記シール手段は、前記開口部に隣接する周囲部分を除いた袋状のカバーの上面および／または下面に接合された、創傷用バッグ。
【請求項３】
前記袋状のカバーは、前記患部を挿入する側の端部が閉じられて該端部と前記開口部との間に中空部が形成された中空端部を備える請求項１または請求項２記載の創傷用バッグ。
【請求項４】
前記中空端部は、患部からの滲出液に対する液溜部として構成されたことを特徴とする請求項３記載の創傷用バッグ。
【請求項５】
前記シール手段は、第１領域、第２領域および第３領域に分けられた貼付材であって、
前記第１領域は、中央に前記開口部を有するとともに、前記第２領域及び前記第３領域と隣接しており、
前記第１領域と第２領域とを貼り合わせ、かつ、前記第２領域と第３領域とを貼り合わせることによって身体に前記袋状のカバーを固着させることを特徴とする請求項１乃至請求項４のいずれか一項に記載の創傷用バッグ。
【請求項６】
請求項１乃至請求項５のいずれか一項に記載の創傷用バッグを用いたことを特徴とする陰圧閉鎖療法用具。
【発明の詳細な説明】
【技術分野】
【０００１】
本発明は、創傷用バッグ並びに同創傷用バッグを用いた排液管理用具または陰圧閉鎖療法用具に関する。
【背景技術】
【０００２】
従来から、創傷、火傷、褥瘡、潰瘍等（以下、単に「患部」という場合がある。）の治療においては、患部に対する物理的刺激からの保護、過剰な滲出液の吸収と湿潤環境の保持、外部からの汚染防止等を目的として、滅菌処理された吸収パッド等を患部上に配置し、包帯や粘着テープなどで周囲の皮膚に固定する方法が一般的に行われてきた。
【０００３】
また、現在では、さらに治癒を促進させる方法として、陰圧閉鎖療法が組み合わせて行われている。ここで、陰圧閉鎖療法とは、患部を陰圧下に置くことで治癒の促進を図る治療方法である。
【０００４】
陰圧閉鎖療法の施術方法としては、患部の上に吸収パッドを置き、さらに吸収パッドの上に吸引用のチューブを配置し、患部を含む広範囲を袋状のカバーで覆う方法がよく知られている（特許文献１参照）。
かかる施術方法は、身体の凹凸などにより身体に対してフィルムを気密的に貼付することができない手足などの四肢の末端に対して、有効な方法である。
【０００５】
また、最近では、陰圧閉鎖療法を行いながら、関節などが硬直しないように袋状のカバーをつけ、陰圧を解除した状態でリハビリを行うことが提案されている（特許文献２参照）。
これは、袋状のカバーを用いる創傷用バッグにおいては患部以外の身体も覆ってしまうため、患部以外の身体の動きが制限されてしまい、その結果、関節等の硬化が起こるためである。
【０００６】
【特許文献１】特表平０９−５０３９２３号公報
【特許文献２】特開２００７−９７８６０号公報
【発明の開示】
【発明が解決しようとする課題】
【０００７】
ところで、手に患部がある場合、リハビリを行うには、前腕を垂直方向に挙上した状態で行うことが多い。また、患部の処置を行うためにカバーに設けられたファスナーを開き、患部を袋状のカバーから外部へ出す場合においても、前腕を垂直方向に挙上する場合がある。
【０００８】
しかしながら、従来の袋状のカバーにおいては、四肢を挿入する開口部の皮膚側に設けた感圧性粘着剤層によって身体に密着させる方法や、開口部の上から身体にかけて幾重にも粘着テープで被覆することによって身体に密着させる方法がとられてきた。そのため、かかる状態で前腕を垂直方向に挙上すると、滲出液などは開口部に溜まる結果となる。
【０００９】
袋状のカバーを粘着剤層によって固定させた場合、開口部に溜まった滲出液は腕を垂直にした際に粘着剤層中に入り込み、粘着力を低下させるといった問題がある。
また、袋状のカバーを開口部の上から身体にかけて幾重にも粘着テープで被覆することによって固定する場合、袋状のカバーの開口部を腕又は足の太さにまで折り畳んでから粘着テープで固定しなければならないため、折り畳んだカバー同士の重なりから滲出液が漏れ出すといった問題もある。
そのため、滲出液が漏れ出さないように常に気を遣わなければならず、十分なリハビリを行えない虞がある。
【００１０】
さらに、リハビリの最中に滲出液が患部以外の部分に触れた場合、患者が不快に感じるといった問題もある。
【００１１】
本発明は、上記問題点に鑑みてなされたものであり、粘着力の低下および滲出液の漏れを防止するとともに、患部以外の身体に滲出液が触れることによる不快感を軽減できる創傷用バッグ並びに同創傷用バッグを用いた排液管理用具または陰圧閉鎖療法用具を提供することにある。
【課題を解決するための手段】
【００１２】
前記課題を解決するため、本発明は、患部を覆うための袋状のカバーと、前記患部を前記袋状のカバー内に挿入するための開口部と、前記袋状のカバーを身体に固着するために前記開口部に設けられたシール手段と、前記袋状のカバーの内部を吸引する吸引手段に接続するための連通部と、を備える創傷用バッグにおいて、前記シール手段は、前記袋状のカバーに接合され、前記開口部は、前記袋状のカバーの端部から所定距離内側に、前記シール手段と前記カバーとに跨って形成されたことを特徴とする。なお、前記患部を覆うための袋状のカバーの「袋状」とは、単に袋形状だけでなく、スリーブ形状を含む意味である。
【００１３】
また、本発明は、患部を覆うための袋状のカバーと、前記患部を前記袋状のカバー内に挿入するための開口部と、前記カバーを身体に固着するために前記開口部に設けられたシール手段と、前記袋状のカバーの内部を吸引する吸引手段に接続するための連通部と、を備える創傷用バッグにおいて、前記袋状のカバーは上下面を備えており、前記開口部は、カバーの上面および／または下面の端部から所定距離内側に形成されており、前記開口部に隣接する周囲部分を除いた袋状のカバーの上面および／または下面に接合された構造とすることもできる。
【００１４】
さらに、前記発明の実施態様としては下記の発明が好ましい。即ち、前記袋状のカバーは、前記患部を挿入する側の端部が閉じられて該端部と前記開口部との間に中空部が形成された中空端部を備えることが好ましい。
また、前記シール手段は、第１領域、第２領域および第３領域に分けられた貼付材であって、前記第１領域は、中央に前記開口部を有するとともに、前記第２領域及び前記第３領域と隣接しており、前記第１領域と第２領域とを貼り合わせ、かつ、前記第２領域と第３領域とを貼り合わせることによって身体に前記カバーを固着させるように構成することが好ましい。
【００１５】
さらに、前記中空端部は、患部からの滲出液に対する液溜部として構成されることが好ましい。また、前記開口部を２つ以上設けることが好ましい。さらに、前記袋状のカバーに気密性のファスナーを設けることが好ましい。また、前記創傷用バッグの少なくともいずれかの部材に患部の載置目印を設けることが好ましい。さらに、前記開口部に開口補助手段を設けることが好ましい。また、前記シール手段が、２枚以上の貼付材から構成されることもできる。さらに、前記液溜部に排液口を設けることもできる。さらにまた、前記連通部は排出口具を備え、前記排出口具は、前記袋状のカバー内に設けたドレナージチューブと着脱自在に接続される機能を備えた構成とすることもできる。
【００１６】
さらに、排液管理用具及び陰圧閉鎖療法用具に関する発明としては、前記創傷用バッグの発明のいずれかのものを用いることを特徴とする。
【発明の効果】
【００１７】
本発明によれば、患部挿入側の端部が閉じられることで中空端部の液溜部が形成されるので、滲出液を液溜部に溜めるようにすることができる。これにより、粘着剤層に触れる滲出液の量を減らすことができるので、粘着力が弱まり滲出液が漏れ出す虞を防ぐことができる。
また、開口部を袋状カバーの上面および／または下面に設けることによって、別部材を設けることなく容易に液溜部を設けることができる。
さらに、開口部を袋状カバーの上面および／または下面に設けることにより、従来袋の周縁部に設けられていた開口部がなくなるため、いずれの周縁部にも連通口を設けることができる。
【発明を実施するための最良の形態】
【００１８】
以下、本発明の実施形態に係る創傷用バッグ及び創傷用バッグの使用方法について、図面を適宜参照して詳細に説明する。
なお、各実施形態の説明において、同一の構成要素に関しては同一の符号を付し、重複した説明は省略するものとする。
【００１９】
図１は、本発明の創傷用バッグを示す概略説明図であって、（ａ）は斜視図、（ｂ）は（ａ）におけるＸ−Ｘ矢視断面図であり、（ｃ）は（ｂ）に示したシール手段の部分拡大図である。
なお、本実施形態では、図１（ａ）の状態を基準に上下前後左右の方向を定めて説明するものとする。
【００２０】
≪創傷用バッグ１について≫
まず本発明の創傷用バッグの構成について説明する。
図１（ａ）に示すように、創傷用バッグ１は、主に、患部を覆うための袋状のカバー１０と、患部をカバー１０内に挿入するための開口部２０と、カバー１０を身体に固着するために開口部２０に設けられたシール手段３０と、カバー１０の内部を吸引手段に接続するための連通部４０と、を備えて構成されている。
【００２１】
＜カバー１０＞
本実施形態における袋状のカバー１０は、患部を覆うためのものであって、例えば、前後３８ｃｍ×左右３０ｃｍの平面視矩形状に形成された２枚のフィルムの周縁を溶着することによって構成されている。
また、図１（ａ）に示すように、本実施形態におけるカバー１０は、上下面を有している。
【００２２】
カバー１０のフィルムとしては、液体と空気の不透過性材料であり、陰圧時や装着時に皮膚を痛めない程度の柔軟性と、カバーを装着したまま活動しても破れない剛性とを備えたものであることが好ましい。また、皮膚の蒸れを防ぎ、傷を湿潤状態に保つため、適度な水蒸気透過性（透湿度）を備えていることが好ましい。
【００２３】
具体的なフィルム材料としては、例えば、ポリエチレン、低密度ポリエチレン、高密度ポリエチレン、ポリプロピレン等のポリオレフィン；エチレン・酢酸ビニル共重合体（ＥＶＡ）、エチレン・エチルアクリレート共重合体（ＥＥＡ）、エチレン・メチルアクリレート共重合体（ＥＭＡ）、エチレン・メチルメタアクリレート共重合体（ＥＭＭＡ）、エチレン・メタクリル酸重合体（ＥＭＡＡ）、エチレン・アクリル酸共重合体（ＥＡＡ）等のオレフィン共重合体；ポリ塩化ビニル、ポリ塩化ビニリデン；ナイロン６、ナイロン６６等のポリアミド；ポリエチレンテレフタレート、ポリブチレンテレフタレート等のポリエステル；ポリビニルアルコール；ポリウレタン；等を用いることが好ましい。
これらの材料は、単一で使用してもよく、二種類以上を使用してもよい。特にポリオレフィンもしくはその塩素化物、オレフィン共重合体、ポリ塩化ビニル、ポリ塩化ビニリデン、ポリウレタン、ポリエステル又はポリアミドを材料とするものがより好ましい。
【００２４】
フィルムの溶着方法としては、熱溶着、超音波溶着、高周波溶着によって溶着しても良いし、接着剤によって接着しても良い。
本実施形態においては、フィルムの４周縁を熱溶着することで、袋状のカバー１０を形成している。
【００２５】
また、本実施形態においては、カバー１０全体が透明なポリエチレンシートで構成されている。しかし、これに限られるものではなく、一部又はすべてが不透明となっていても良い。なお、カバー１０を透明にすることより、患部以外の患者の身体についても視野を確保できる。
【００２６】
さらに、本実施形態においては、図１（ｂ）に示すように単層構造としているが、強度の付加や高機能化のために多層構造としても良い。
【００２７】
＜開口部２０＞
開口部２０は、図１（ａ）から（ｃ）に示すように、患部を袋状のカバー１０内に挿入するためのものであって、左右幅方向にわたって設けられている。本実施形態においては、袋状のカバー１０の一方の面（図では上面）に、カバー１０の内部に連通するように切り込みを設けることで開口部２０が設けられている。より詳細には、この開口部２０は、後記するシール手段３０と、シール手段３０が接合されたカバー１０の上面とに跨って形成されている。また、本実施形態においては、切り込みの両端に円形の打ち抜きが設けられている。
なお、切り込みの長さは、使用する身体の個所によって適宜変更可能としてもよい。また、打ち抜き部の形状は円形に限られるものではなく、多角形状であってもよい。
【００２８】
（液溜部２５）
本実施形態においては、図１（ａ）、（ｂ）に示すように、開口部２０をカバー１０の上面に設けている。これにより、カバー１０の後側、即ち患部挿入側の端部が閉じられることで中空端部が形成され、この中空端部が液溜部２５として形成される。
なお、液溜部２５の形状は、カバー１０のフィルムの形状を変更することによって適宜変更可能である。また、液溜部２５の容量は、カバー１０に設ける開口部２０の位置によっても、適宜変更可能である。
【００２９】
＜シール手段３０＞
シール手段３０は、カバー１０を身体に固着するために開口部２０に設けられたものである。本実施形態におけるシール手段３０は、１枚の貼付材３００で構成されおり、図１（ｃ）に示すように、貼付材３００の下面（後記する支持体側）が両面テープＴによってカバー１０に接合された構成を備える。
【００３０】
また、シール手段３０は、図１（ａ）、（ｂ）に示すように、３つの領域を構成している。ここで、特許請求の範囲に記載の第１〜３領域は、本実施形態における次の領域に相当する。
本実施形態にかかるシール手段３０において、第１領域は、前後方向の長さがＬ２であって、左右幅方向にわたる領域である。また、第１領域は、貼付材３０中央部に設けられている。第２領域は、第１領域の前側に隣接した領域であり、前後方向の長さがＬ１であって、左右幅方向にわたる領域である。第３領域は、第１領域の後側に隣接した領域であり、前後方向の長さがＬ３であって、左右幅方向にわたる領域である。
【００３１】
［貼付材３００］
本実施形態においては、貼付材３００としては、図１（ｃ）に示すように、基材３１０と、基材３１０の一面に形成された粘着剤層３２０と、粘着剤層３２０の表面に設けられた剥離シート３３０と、基材３１０の他面に仮着され、基材３１０よりも剛性の高い支持体３４０と、から構成されている。
【００３２】
図１（ｂ）、（ｃ）に示すように、貼付材３００は、前後方向Ｌ２の長さで左右幅方向にわたって両面テープＴを介してカバー１０に接合されている。
具体的には、本実施形態においては、貼付材３００の前後方向Ｌ２の長さで左右幅方向にわたって支持体を剥がし、露出した基材３１０に両面テープＴを貼付することで、カバー１０と貼付材３００とが接合されている。したがって、貼付材３００は、前後の長さＬ１及びＬ３の長さにおいてカバー１０と接合されておらず、可動させることができる。
【００３３】
なお、本実施形態においては、両面テープＴの左右幅方向の長さは、開口部２０の左右幅方向の長さよりも長いことが好ましく、より好ましくは、貼付材３００が前後方向Ｌ２の長さで左右幅方向の全面にわたってカバー１０と接合されていることが好ましい。
また、Ｌ１の長さ＝Ｌ２＋Ｌ３の長さとなっており、折り畳んだ際に貼付材３００の周縁部が略一致するようになっている。したがって、Ｌ１とＬ２の境目が、貼付材３００の前後方向における中心線と一致する。
さらに、Ｌ１の長さとＬ２＋Ｌ３の長さとの関係については、どちらか一方が他方よりも長くてもよいが、等しいことがより好ましい。また、Ｌ１とＬ３の長さを両方とも長くすることによって、身体に貼付される領域が増えるため、より気密性を確保できるが、長すぎる場合には張りにくくなる虞があるため、適宜選択することが好ましい。
【００３４】
［基材３１０］
本実施形態における基材３１０の形態としては、プラスチックフィルム、不織布、編布、織布等の繊維シート、フォームシート、紙等が挙げられ、これらの基材を単独で使用してもよいし、同一又は異なる種類の形態の基材をラミネートした積層構造の基材を使用してもよい。
【００３５】
プラスチックフィルムの材料としては、例えば、ポリウレタン；ポリエチレンテレフタレート、ポリブチレンテレフタレート等のポリエステル；ナイロン６、ナイロン６６等のポリアミド；ポリエチレン、低密度ポリエチレン、高密度ポリエチレン、ポリプロピレン等のポリオレフィン；エチレン・酢酸ビニル共重合体（ＥＶＡ）、エチレン・エチルアクリレート共重合体（ＥＥＡ）、エチレン・メチルアクリレート共重合体（ＥＭＡ）、エチレン・メチルメタクリレート共重合体（ＥＭＭＡ）、エチレン・メタクリル酸重合体（ＥＭＡＡ）、エチレン・アクリル酸共重合体（ＥＡＡ）等のオレフィン系共重合体；ポリビニルアルコール；ポリ塩化ビニル、ポリ塩化ビニリデン；シリコーン；等をあげることができる。
より好ましくは、水蒸気透過性が良好で、不感蒸散等を妨げることが少ないポリウレタン、ポリエステル、ポリアミド等が好ましい。
なお、これらの材料は、単一で使用してもよく、二種類以上を混合して使用してもよい。
【００３６】
繊維シートの材料としては、例えば、綿、ビスコースレーヨン、ポリノジック、銅アンモニアレーヨン、リヨセル等のセルロース系繊維、ポリエステル系繊維、アクリル系繊維、ポリアミド系繊維、ポリオレフィン系繊維、ポリウレタン系繊維、ビニロン繊維、ポリ塩化ビニル系繊維、ポリ塩化ビニリデン系繊維等を利用できる。
これらの材料は、単一で使用してもよく、二種類以上を混紡して使用してもよい。
【００３７】
フォームシートの材料としては、ポリオレフィン、ポリウレタン、アクリル、クロロプレンゴム、シリコーン等をあげることができる。
【００３８】
紙としては、従来から知られている上質紙、クラフト紙、グラシン紙、コート紙等が使用できる。
【００３９】
基材３１０の厚さとしては、１０〜１５０μｍの範囲が好ましく、特に１５〜７５μｍの範囲がより好ましい。厚さが１０μｍより薄いと、基材３１０の強度が十分でなく、使用時に繰り返し摩擦によって破れる可能性がある。また、厚さが１５０μｍより厚いと、嵩高になり身体に貼付したときに違和感が生じ、特に曲面部位への追従性が悪くなる恐れがある。
【００４０】
本発明において用いる基材３１０の形態としては、貼付部位、すなわち身体に追従し得る柔軟性、伸縮性を有し、貼付部の観察が容易な透明又は半透明のプラスチックフィルムが好ましい。
【００４１】
［粘着剤層３２０］
本実施形態における粘着剤層３２０としては、種々の感圧性粘着剤が使用でき、例えばアクリル系、シリコーン系、ウレタン系、ビニルエーテル系、天然ゴム系、合成ゴム系等の感圧性粘着剤が挙げられる。なかでも、アクリル系、シリコーン系が好ましい。
【００４２】
また、これらの感圧性粘着剤に、カルボキシメチルセルロース、カラヤガム、ペクチン、ゼラチン、ポリビニルアルコール、ポリアクリル酸ナトリウム等の親水性高分子化合物を加えた、いわゆるハイドロコロイド粘着剤を使用することがより好ましい。
ハイドロコロイド粘着剤を使用することにより、汗や創傷からの滲出液等を吸収することができ、蒸れによるカブレや掻痒感を軽減することができる。
【００４３】
粘着剤層３２０は、その厚さが５〜５００μｍであることが好ましく、５〜２００μｍであることがより好ましい。また、粘着剤層３２０の塗工重量は、１０〜５００ｇ／ｍ2の範囲が好ましく、２０〜１５０ｇ／ｍ2の範囲がより好ましい。
粘着剤層３２０の厚さ、塗工重量がこの範囲内にあることにより、貼付時に適度な粘着力を示し、皮膚に対する密着性及び追従性にも優れ、良好な透湿度を得ることができる。
【００４４】
［剥離シート３３０］
本発明に用いられる剥離シート３３０としては、公知の剥離紙、剥離フィルムが利用でき、紙やフィルムの表面にシリコーン樹脂処理やフッソ樹脂処理等を施したものを利用できる。
【００４５】
［支持体３４０］
本実施形態にかかる支持体３４０としては、基材３１０を貼付するときに基材３１０のしわ発生を防止する程度の硬さを有するものであればよく、ポリエチレン、ポリプロピレン、ポリアミド、エチレン・酢酸ビニル共重合体、ポリエステル等のプラスチック材料、紙、不織布等が利用できる。
【００４６】
この支持体３４０は、基材３１０の貼付時に基材３１０を定型状態に維持できれば必ずしも基材３１０の上面の全面を覆う必要はなく、例えば、基材３１０の周縁部だけを窓枠状に被覆し、基材３１０の中央部は被覆しない形態にすることもできる。
なお、支持体３４０を基材３１０に仮着する方法としては、接着、熱圧着、共押し出しによる仮着等、公知の方法を使用することができる。
【００４７】
なお、シール手段３０に用いられる貼付材３００としては、身体への追従性、透湿性、気密性、粘着剤の皮膚に対する安全性のうち、透湿性、気密性、安全性を確保できるものであれば特に限定されるものではない。
【００４８】
また、貼付材３００は、本実施形態に示した構成に限られるものではなく、基材３１０と、基材３１０の一面に形成された粘着剤層３２０と、粘着剤層３２０の表面に設けられた剥離シート３３０と、を少なくとも備えるものであれば特に限定されるものではない。
【００４９】
＜連通部４０＞
連通部４０は、カバー１０の内部を吸引手段に接続するためのものであり、図１（ａ）に示すように、カバー１０の右側長辺縁部の前側に設けられている。
また、本実施形態にかかる連通部４０は、溶着されたカバー１０の右側長辺縁部の一部を切り欠いた連通口４１と、連通口４１の開口径よりも大きい貼付材３００ａとで構成されている。
【００５０】
なお、カバー１０の形成の際に、フィルムの右側長辺縁部の一部を熱溶着しないことによって連通部４０を形成しても良い。
また、本実施形態においては、吸引手段に接続するためのチューブが挿通できれば、連通口４１の形状、大きさ及び位置は特に限定されるものではなく、適宜変更可能である。さらに、本実施形態における貼付材３００ａは、前記した貼付材３００と構造が同じであるため、説明は省略する。
【００５１】
本実施形態にかかる創傷用バッグ１は、さらに次のようなファスナー５０を備える構成とすることが好ましい。
【００５２】
＜ファスナー５０＞
気密性のファスナー５０は、シール手段３０によってカバー１０を身体に固定した後であっても、ファスナー５０を開口することにより患部の処置を行いやすくするためのものである。
【００５３】
図１（ａ）、（ｂ）に示すように、本実施形態にかかるファスナー５０は、患部がファスナー５０の直下にくるように、カバー１０の略中央に設けられている。
なお、ファスナー５０の位置としては、本実施形態に限られるものではなく、フィルムの前側短辺縁部や左右の長辺縁部に設けても良い。
また、ファスナー５０としては、気密性、再封止可能であるものであれば、その構成は特に限定されるものではなく、例えば、突起と溝をスライドして係合させるもの、粘着テープ、面ファスナー等があげられる。
【００５４】
＜ファスナー開口保持部材６０＞
ファスナー開口保持部材６０は、ファスナー５０を開いた際にファスナー５０の開口の形状を維持するための部材であって、例えば、上下１ｃｍ×左右１６ｃｍの細長い平面視矩形状をした部材である。
本実施形態においては、図１（ａ）に示すように、ファスナー５０の直下であって、左右幅方向にわたって設けられている。また、図１（ｂ）に示すように、ファスナー５０の前側及び後側にそれぞれ１つずつ設けられている。
【００５５】
ここで、ファスナー開口保持部材６０としては、変形可能であり、かつ、変形状態を保持できるものであることが好ましい。例えば、指で力を加えることによって塑性変形し、ファスナー開口の開閉状態を保持することができるものが好ましい。かかるファスナー開口保持部材６０としては、例えば、樹脂製、紙製、金属性の材料を使用することができる。
【００５６】
樹脂製の材料としては、ポリエチレンやポリプロピレンの細線やプレートを使用した市販の樹脂製形状保持材、例えば、積水化学工業（株）製の超延伸シートや樹脂製形状保持テープ、三井化学（株）製の形状保持材、商品名「テクノロート（登録商標）」等を用いることができる。
【００５７】
前者はポリオレフィン（ＰＥ，ＰＰ）を一軸方向に高倍率延伸した高強度・高弾性率のシートやテープである。また、後者のテクノロートは、例えば、直径０．６７ｍｍのポリエチレン細線を芯材とし、ポリエチレンを外装フィルムとして組み合わせてテープ状としたものであり、針金のように自在に折り曲げることができ、また、折り曲げ時の曲げ戻りもほとんどないのが特徴である。
前者および後者共に、用途に応じて、断面形状，形状保持性，強度等に関して種々のタイプがあるので、開口部の開閉操作とその際の形状保持のために、好適に利用できる。
また、別の樹脂製材料として、無機充填材を含有した樹脂製の材料を使用できる。この材料は、ポリオレフィン（ＰＥ，ＰＰ）樹脂に無機充填材（タルク、炭酸カルシウム、酸化チタン等）を混合した溶融樹脂を、押し出し又は延伸することにより形成することができる。このように無機充填材を樹脂に混合することで、樹脂にある程度の腰をもたせながら、開口部の開閉状態を維持できる塑性変形性、即ち形状保持機能を付与することができる。
【００５８】
紙製の材料としては、形状保持機能を有する防水処理した紙製の材料を使用できる。防水処理としては、紙に疎水性の樹脂をコーティングする方法又は、樹脂製のフィルムやシートを紙に被覆又はラミネートする方法等が採用できる。このような処理をすることで、紙製のファスナー開口補助部材６０が、滲出液の水分や洗浄時の水を吸収し、強度が落ちたり、破壊されたりすることを防ぐことができる。また、紙にファスナー開口補助部材６０として取り扱い易い適度な腰を付与することができる。
【００５９】
金属製の材料としては、例えばツイスト結束材、即ち細い金属線をビニル樹脂で被覆した線材（例えば（株）共和製の商品名「ビニタイ（登録商標）」、ユニオンプラスチック（株）製の商品名「クイックタイ」等）を使用することができる。
【００６０】
なお、開口保持部材６０としては、樹脂製又は紙製を使用するのが好ましく、樹脂製を使用することがより好ましい。
また、本実施形態におけるファスナー開口保持部材６０は、粘着剤を介して着脱自在にファスナー５０の周囲に設けられるように構成されているが、これに限られるものではなく、接着、粘着、溶着等の固定手段により設置してもよいし、ファスナー開口保持部材６０の上から粘着テープで被覆して固定してもよい。
【００６１】
≪創傷用バッグ１の使用方法≫
創傷用バッグ１の使用方法について、手に患部がある場合を例にとって説明する。
図２は、シール手段３０によってカバー１０を身体Ｂに固着するための方法を段階的に示した図である。
【００６２】
まず、図２（ａ）に示すように、本実施形態にかかる貼付材３００の後側の剥離シート３３０を剥がす。このとき、貼付材３００の中央（図１（ｂ）のＬ１とＬ２の境界に相当）には、左右幅方向にわたって剥離シートにスリットＳ（図１（ｃ）参照）が設けられているため、後側半分の剥離シートだけを最初に剥がすことができる。
【００６３】
後側の剥離シート３３０を剥がした後、カバー１０内に連通する開口部２０から身体Ｂをカバー１０内に挿入する。このとき、開口部である切り込みの両端には円形の打ち抜きが設けられているため、患部を挿入する際にカバー１０が裂けてしまうことを防止できる。このとき、打ち抜きの形状は多角形状であってもよいが、好ましくは円形である。
また、打ち抜きを設けず、スリットの両端部を他の粘着材（例えば、テープなど）で補強することで、カバー１０が裂けてしまうことを防止してもよい。
【００６４】
さらに、剥離シート３３０を剥がす前に、鋏等を用いて切り込みをさらに広げることで、挿入する身体Ｂの幅に合わせて開口部２０の幅を変えてもよい。また、開口部２０を、平面視円形等の形に加工してもよい。このようにすることで、患部をカバー内に挿入しやすくすることができる。
【００６５】
本実施形態においては、貼付材３００の剥離シート３３０の一部を剥がすことによって、粘着剤層３２０を介してカバー１０を身体Ｂに仮着させることができるため、その後の操作でカバー１０が適正な位置からずれてしまうことを防止できる。
なお、身体Ｂを挿入した後に、後側の剥離シート３３０を剥がしてもよい。このとき、剥離シート３３０にスリットを設けておくと、剥がしやすくすることができる。
【００６６】
次に、図２（ｂ）、（ｃ）に示すように、貼付材３００の前側の剥離シート３３０を剥がす。そして、貼付材３００の中央（図１（ｂ）のＬ１とＬ２の境界に相当）で折り曲げて折り畳むことによって、粘着剤層３２０同士を貼り合わせる。言い換えると、シール手段３０の第１領域と第２領域とを貼り合わせ、かつ、第２領域と第３領域とを貼り合わせる。これにより、シール手段３０を身体Ｂに密着させ、かつ、周囲を気密に保持することができる。
このとき、カバー１０またはシール手段３０に、患部または身体Ｂの載置目印（図示せず）を設けておくことによって、患部を適正な位置に導くことができる。載置目印は、例えば、手の前後左右の適正位置範囲を表示するマーキングとし、マーキングの形態は、必要に応じて、単純な線状マークや図形状マークなど種々のものが採用できる。
【００６７】
本実施形態においては、カバー１０と貼付材３００を接合させた両面テープＴの前側の長辺が、貼付材３００の前後方向における中心線と一致するようになっているため、折り曲げやすい。
また、図１（ｂ）に示すように、貼付材３００は前後の長さＬ３においてカバー１０には固着されていないため、貼付材３００を重ね合わせた際に、２枚の貼付材３００を上下方向から扱きやすくなっている。これにより、貼付材３００をより身体Ｂに密着させることができるので、開口部２０を気密に保持することができる。
なお、ここで「密閉」とは、吸引ポンプにより吸引した際に、カバー１０内を周囲よりも低い圧力に維持できる程度に十分な気密性があることを意味する。
その後、シール手段３０の支持体３４０を剥がすことで、身体Ｂへの追従性を良好にさせることができる。
【００６８】
ここで、従来は、カバーのフィルムを手足の太さに合わせて折り畳んだ後に粘着テープによって密閉した場合においては、フィルムの厚さや場所などによって、うっ血や痛みが発生していた。また、輪ゴムで止めた場合においては、血流が止まってしまい、早期治癒の妨げとなっていた。
しかしながら、本実施形態のように、シール手段３０によって身体Ｂにカバー１０を固着することで、うっ血や痛みの発生を防止し、また早期治癒の妨げとなることもない。
【００６９】
次に、ファスナー５０を開き、患部上に傷を覆うための吸収パッド７０を配置する（図３参照）。
【００７０】
本実施形態においては、ファスナー５０を開く際に、ファスナー開口保持部材６０も指で押し広げる。このとき、ファスナー開口保持部材６０は、カバー１０のフィルム材質よりも硬いため（コシがあるため）、ファスナー５０の開口形状を容易に保持することができる。
これにより、ファスナー５０の開口形状を保持することができるので、両手で傷の処置を行ったり、患部の観察を行いやすくしたりすることができる。
なお、ファスナー開口保持部材６０の形状は、本実施形態のような矩形状に限られるものではなく、例えば線状や波線形状など適宜変更可能である。また、本実施形態にかかる左右幅方向の長さが短い部材を複数設けることによって、ファスナー５０の開口形状を保持できるようにしてもよい。
【００７１】
ファスナー５０の開口形状を保持した後、吸収パッドを創傷上に配置する。
ここで、吸収パッド７０は公知の多孔質パッドであって、患部上に配置することにより、減圧時に発生するカバー１０からの物理刺激を緩和するため適度なクッションとしての役割を果たす。また、滲出液を効率よく吸収するとともに、多孔質であることにより、均一な減圧を行うことができる。さらに、陰圧下では、カバー１０のフィルム同士がくっついてしまう場合があり、カテーテルＣにより効率よく吸引作業を行うことができないが、吸収パッド７０を設けることにより空間を確保できるため、効率よく吸引作業を行うことができる。
【００７２】
吸収パッド７０としては、編布、織布、不織布などの繊維材料、フォーム材料等を用いることができる。また、繊維材料、フォーム材料としては、前記貼付材３００（図１（ａ）参照）の基材と同様の材料を利用できる。
【００７３】
なお、カテーテルＣは吸収パッド７０の上もしくは患部近傍に配置するこが好ましいが、滲出液の吸引及び患部を好適な陰圧下における位置であれば、カテーテルＣの位置は特に限定されるものではない。
また、カテーテルＣとしては、複数の開口をカテーテルの側面に設けたものを用いても良い。
【００７４】
患部上に吸収パッド７０を配置した後、一端が吸引手段に接続されたカテーテルＣの他端を、連通部４０の連通口４１から引き入れ、吸収パッド７０の上に置く。そして、ファスナー５０を閉じる。このとき、ファスナー５０とファスナー開口保持部材６０とを指で押圧することによって、ファスナー５０を密閉して閉鎖することができる。
なお、本実施形態においては、ファスナー開口保持部材６０をファスナー５０の直下に設置したが、ファスナー５０の開口形状を維持できるのであれば、これに限定されるものではなく適宜変更可能である。
【００７５】
次に、連通部４０の連通口４１から引き出されたカテーテルＣも同様にして、貼付材３００ａを貼り合わせる事により連通口４１を密閉する。
本実施形態においては、カテーテルＣの長さを十分に調節してから貼付材３００ａにより密着することができるので、カテーテルＣの長さが足りなくなるという虞もない。また、カテーテルＣの周囲を包むように密着させることができるので、気密性を確保することもできる。
このとき、貼付材３００ａよりもさらに大きい別の貼付材を設け、貼付材３００ａの上からさらに貼り合わせることによって、より気密性を確保できるようにしてもよい。
【００７６】
そして、カテーテルの一端につながれた吸引手段によって、吸引を行う。このときの陰圧としては、大気圧から１２５ｍｍＨｇ程度減圧することが好ましいが、これに限られるものではなく適宜医療従事者の判断により変更可能である。
なお、陰圧閉鎖療法の施術方法については、適宜変更可能である。
【００７７】
一方、リハビリを行う際には、吸引を解除し、大気圧に戻すかまたは加圧することによってカバー１０内でリハビリを行う。
【００７８】
ここで、リハビリ時に前腕を垂直方向に挙上すると、滲出液が開口部２０側に垂れてくるが、本実施形態では後側（肘側）に設けられた液溜部２５（図１（ａ）参照）に滲出液が溜まる。これにより、従来と比べ、粘着剤層に接触し続ける滲出液の量を減らせるため、粘着力の低下を防ぐことができる。
また、滲出液が液溜部２５に溜まることで、従来のように、腕の周りに常に滲出液が溜まるようなことがない。これにより、患者の不快感を取り除ける。
さらに、液溜部２５に溜まった滲出液は、例えば、従来設置することができなかったカバー１０の後側周縁部に排出口を設けることができる。これにより、リハビリを行いながら滲出液などを適宜排出することができる。
【００７９】
また、一時的に陰圧を解放し、吸収パッド７０の取替えや患部の処置を行う際は、ファスナー５０を開けることで容易に行うことができる。これにより、一度取り付けた創傷用バッグ１を、吸収パッド７０の取替えや患部の処置を行う度に交換する必要がないため、経済的である。
さらに、本実施形態にかかるファスナー開口保持部材６０は着脱自在に構成されており、患者の滲出液などによっても汚染されることがないため、創傷用バッグ１を交換した場合にも繰り返し使え、経済的である。また、ファスナー開口保持部材６０が金属製である場合には、創傷用バッグ１をゴミ処理する際に分別を行いやすくすることができる。
【００８０】
（第２実施形態）
本発明においては、シール手段３０ａの形状を図４に示すようにしてもよい。
ここで、図４は、第２実施形態にかかる創傷用バッグ１を示す概略説明図であって、（ａ）は使用前の状態を示す斜視図であり、（ｂ）は使用中の状態を示す斜視図である。
なお、第２実施形態では、図４（ａ）の状態を基準に上下前後左右の方向を定めて説明するものとする。
【００８１】
図４（ａ）に示すように、第２実施形態にかかる創傷用バッグ１のシール手段３０ａは、前記実施形態にかかるシール手段３０（図１（ａ）参照）と異なり、シール手段３０ａの左右幅方向の長さが、カバー１０の左右幅方向の長さよりも長く形成されている。
【００８２】
ここでシール手段３０ａは、図４（ａ）に示すように、３つの領域を構成している。
第２実施形態にかかるシール手段３０において、第１領域は、前後方向の長さがＬ２であって、左右幅方向の長さがＬ４となっている領域である。第２領域は、第１領域の後側に隣接した領域であり、前後方向の長さがＬ３であって、左右幅方向の長さがＬ４となっている領域である。第３領域は、第１領域及び第２領域の右側に隣接した領域であり、前後方向の長さがＬ１であって、左右幅方向の長さがＬ５となっている領域である。
【００８３】
また、シール手段３０ａは前記実施形態と同じく、両面テープ（図示せず）を介して、カバー１０に接合されている。
より詳しくは、シール手段３０ａは、両面テープＴを介してカバー１０（図では上面）と第１領域とが接合されている。一方、第２領域及び第３領域は、カバー１０と接合されていないため可動させることができる。
【００８４】
さらに、開口部２０は、前記実施形態と同様、シール手段３０ａと、シール手段３０ａが接合されたカバー１０の上面とに跨って形成されている。
【００８５】
ここで、Ｌ１の長さとＬ２＋Ｌ３の長さの関係は、Ｌ１の長さ≧Ｌ２＋Ｌ３の長さであることが好ましく、より好ましくはＬ１の長さがＬ２＋Ｌ３の長さよりも１０ｍｍ前後長いことが好ましい。また、左右幅方向の長さの関係は、Ｌ４＝Ｌ５となっているのが好ましい。
なお、第２実施形態においては、図４（ｂ）に示すように、前後方向におけるＬ２＋Ｌ３の長さはＬ１の長さと等しくなっている。また、左右幅方向における長さＬ４はＬ５の長さと等しくなっている。
【００８６】
第２実施形態の使用方法について説明する。
なお、使用方法については、患部をカバー１０内に挿入するところまでは前記実施形態と同じであるため、詳細な説明は省略する。
【００８７】
医療従事者は、カバー１０内に患部を挿入した後、シール手段３０ａにかかる第３領域の剥離シートを剥がし、第３領域の粘着剤層と第１及び第２領域の粘着剤層が貼り合わされるように右から左に向かって張り合わせていく。言い換えると、図４（ｂ）に示すように、シール手段３０ａの第１領域と第３領域とを貼り合わせ、かつ、第２領域と第３領域とを貼り合わせる。これにより、シール手段３０ａを身体Ｂに密着させ、かつ、周囲を気密に保持することができる。
【００８８】
このとき、シール手段３０ａの左右幅方向の中心には、上下方向にわたって剥離シートにスリット（図示せず）を設けてあるので、第１及び第２領域の剥離シートと、第３領域の剥離シートをそれぞれ別々に剥がすことができる。これにより、第３領域の剥離シートを徐々に剥がしていきながら第１及び第２領域の粘着剤層と貼り合わせることができるので、よりシール手段３０ａを身体Ｂに密着して張り付けることができるとともに、気密性を高めることができる。また、シール手段３０ａの貼付材を一気に剥がさずにすむため、粘着剤層が予期しない箇所にくっつくことを防止することができる。
【００８９】
また、第２実施形態においては、カバー１０とシール手段３０ａを接合させた両面テープの右側の短辺が、シール手段３０ａの左右幅方向における中心線と一致するようになっているため、折り曲げやすい。
さらに、第２実施形態においても第２領域がカバー１０に接合されていないため、第３領域を貼りあわせた後であっても、可動させることができる。
【００９０】
その後、前記実施形態と同様に、患部に対して負圧をかけることによって陰圧閉鎖療法の施術を行うことができる。
【００９１】
なお、第３領域の面積が第１領域及び第２領域の面積よりも大きい場合には、はみ出した領域がカバー１０にも接合するため、より気密性を高めることができる。
【００９２】
（第３実施形態）
本発明においては、図１（ａ）のように連通口４１を２枚の貼付材３００ａによって挟み込むのではなく、例えば１枚の貼付材によってカテーテルを保持しても良い。
【００９３】
図５（ａ）に示すように、第３実施形態にかかる創傷用バッグ１の貼付材３００ｂは、前記したシール手段３０（図１（ａ）参照）と同じように、左右幅方向Ｌ２ａの長さで前後方向にわたって両面テープ（図示せず）によってカバー１０に接合されている。したがって、貼付材３００ｂは、左右幅方向の長さＬ１ａ及びＬ３ａの長さにおいてカバー１０と接合されておらず、可動させることができる。
【００９４】
ここで、貼付材３００ｂは、図５に示すように、３つの領域を構成している。
第３実施形態にかかる貼付材３００ｂにおいて、第１領域は、左右幅方向の長さがＬ２ａ、前後方向の長さがｔ１となっている領域である。また、第１領域は、貼付材３００ｂの中央部に設けられている。第２領域は、第１領域の右側に設けられた領域であり、左右幅方向の長さがＬ１ａ、前後方向の長さがｔ２となっている領域である。第３領域は、第１領域の左側に設けられた領域であり、左右幅方向の長さがＬ３ａ、前後方向の長さがｔ１となっている領域である。
なお、第３実施形態にかかる貼付材３００ｂの基本的な構成は、前記したシール手段３０と同じであるため、詳細な説明は省略する。
【００９５】
また、第３実施形態にかかる貼付材は、図５（ａ）に示すように、カバー側（Ｌ２ａ＋Ｌ３ａ側）の貼付材３００ｂの前後方向における幅ｔ１と、カバー１０の縁部から突出した側（Ｌ１ａ側）の貼付材３００ｂの前後方向における幅ｔ２の長さが異なっている。
さらに、カテーテルＣをカバー１０内に導入するための平面視円形の連通口４１が、貼付材３００ｂ上に設けられている。
【００９６】
ここで、Ｌ１ａの長さとＬ２ａ＋Ｌ３ａの長さの関係は、Ｌ１ａの長さ≧Ｌ２ａ＋Ｌ３ａの長さであることが好ましく、より好ましくはＬ１ａの長さがＬ２ａ＋Ｌ３ａの長さよりも１０ｍｍ前後長いことが好ましい。
また、ｔ１とｔ２の幅の関係は、ｔ２≧ｔ１となっているのが好ましく、より好ましくは、ｔ１の幅から前後及び左方向において、それぞれ５ｍｍ以上長いことが好ましい（図５（ｂ）参照）。
【００９７】
第３実施形態においては、カテーテルＣをカバー１０内に導入するための円形の連通口４１が、貼付材３００ｂ上に設けられている。
より詳しくは、連通口４１は両面テープによってカバー１０に接合された領域（左右幅方向Ｌ２ａ×幅ｔ１の領域）の中央に設けられている。そして、カバー１０、カバー１０と貼付材３００ｂを接合している両面テープ（図示せず）及び貼付材３００ｂに連通するように設けられている。
【００９８】
また、第３実施形態においては、連通口４１は平面視円形で構成されているが、これに限られるものではなく、多角形状であってもよい。なお、カバー１０を裂けにくくするためには、円形であることがより好ましい。
【００９９】
第３実施形態の使用方法について説明する。なお、使用方法については、前記したシール手段３０の使用方法とほぼ同じであるため、詳細な説明は省略する。
【０１００】
第３実施形態では、患部上に設けた吸収パッド７０（図３参照）上に、連通口４１から挿入したカテーテルＣを載置する。このとき、カテーテルＣはシール手段３０（図１（ａ）参照）と同じように、貼付材３００ｂの粘着剤層によって仮着されるため、カテーテルＣのずれを防ぐことができる。なお、連通口４１の周囲にある貼付材３００ｂの剥離シートにスリット（図示せず）を設けることで、剥離シートを剥がしやすくすることがより好ましい。
【０１０１】
図５（ｂ）に示すように、第３実施形態においては、連通口４１から出ているカテーテルＣを、カバー１０の中心側（縁部と反対側；左側）にひきだした状態で、貼付材３００ｂ同士を貼りあわせてカテーテルＣを固定する。言い換えると、シール手段３０の第１領域と第２領域とを貼り合わせ、かつ、第２領域と第３領域とを貼り合わせる。これにより、カテーテルＣに不意に力がかかったような場合でも、カテーテルＣと貼付材３００ｂとの間に隙間ができないため、気密性が解除されるのを防止することができる。
【０１０２】
図５（ａ），（ｂ）に示すように、第３実施形態においては、上下方向ｔ２の長さがｔ１の長さよりも長く、かつ、左右幅方向の長さＬ１ａの長さがＬ２ａ＋Ｌ３ａよりも長く形成されているため、カテーテルＣを十分に被覆できる。このような構成とすることで、カテーテルＣを気密に被覆することができるだけでなく、カバー１０側の貼付材と貼りあわされていないはみ出した粘着剤層がカバー１０と貼り合わされて、カテーテルＣをカバー１０に強く保持することができる。これにより、突発的な力がカテーテルＣにかかった場合であってもカテーテルＣがカバー１０に保持されているため、カテーテルＣと貼付材３００ｂとの間に隙間ができることを防止できる。
【０１０３】
なお、貼付材３００ｂが気密性を十分に確保できる大きさであれば、ｔ２＝ｔ１、かつ、Ｌ１ａ＝Ｌ２ａ＋Ｌ３ａであってもよい。
また、カバー１０の縁部から突出した側（Ｌ１ａ側）の貼付材３００ｂ、カバー１０側（Ｌ２ａ＋Ｌ３ａ側）の貼付材３００ｂと同じ大きさの粘着剤層を露出させることができるよう、剥離シートにスリットを設けてもよい（図示せず）。かかる構成にすることで、カテーテルＣを接合したあとも、貼付材３００ｂを動かすことができるので、カテーテルＣが急に引っ張られた場合には、貼付材３００ｂが動くことで衝撃を緩和し、カテーテルＣがカバー１０から外れることを防ぐことができる。
【０１０４】
第３実施形態においては、図５（ａ），（ｂ）に示すように、連通口４１を一つしか設けていないが、貼付材３００ｂを複数設けることによって、連通口４１を複数設けてもよい。これにより、医療従事者は好きな位置からカテーテルＣを挿入することができるので、患部の位置によってカテーテルＣを挿入する連通口４１を選択できる。
また、一つの連通口４１に差し込まれたカテーテルＣから、生理食塩水や薬剤等を流し込み、別の連通口４１に設けられたカテーテルＣから注入液を排出してもよい。
なお、連通口４１を複数設けた場合には、貼付材３００ｂを貼り合わせることによって連通口４１を塞ぐか、再貼付・剥離可能な別部材の貼付材（図示せず）によって塞いでもよい。別部材で塞いだ場合には、次回使用する際に再度使用することができるため、経済的に好ましい。
【０１０５】
（第４実施形態）
さらに、本発明においては連通口４１に排出口具４２を設けてもよい。
【０１０６】
第４実施形態にかかる創傷用バッグ１は、図６に示すように、貼付材の代わりに排出口具４２を備えている。
ここで、排出口具４２は、栓４２ａと口具本体４２ｂとから構成されている。また、栓４２ａは口具本体４２ｂから着脱自在となっている。
【０１０７】
さらに、第４実施形態においては、口具本体４２ｂとカバー１０内に設けられたドレナージチューブＤとが着脱自在に設けられている。
かかる構成とすることで、ドレナージチューブＤを着脱自在に使用することができるため、本発明にかかる創傷用バッグ１は、滲出液や創傷の状況に応じて、陰圧閉鎖療法用具または排液管理用具として使い分けることができる。
なお、本実施形態においてはドレナージチューブＤを用いた場合について説明しているが、これに限られるものではなく、他のカテーテルを用いても良い。
【０１０８】
滲出液等は患部を適度な湿潤環境に保つことができるので、早期治癒に役立つが、過剰な滲出液等は雑菌等の繁殖の温床となってしまうため、早期治癒の妨げとなる。そこで、カバー１０内に滲出液等が溜まった場合には、排出口具４２から過剰な滲出液等を外部に排出し、適度な湿潤環境を保つことが好ましい。
【０１０９】
例えば、吸引手段と接続されたカテーテルＣを、コネクターＪを介して口具本体４２ｂと接続することによって、過剰な滲出液を排除することができるとともに、陰圧閉鎖療法を施術することができる。
【０１１０】
また、ドレナージチューブＤを外した状態において、カバー１０内に滲出液が溜まった場合には、排出口具４２の栓４２ａを排出口具本体４２ｂから外すことで、カバー１０内に溜まった滲出液等を外部に排出することができる。さらに、排出口具本体４２ｂに直接チューブの一端をつなげ、他端に排液バッグを接続することで、自然落下によって、カバー１０内の滲出液等を図示しない排液バッグに導く構造とすることもできる。
【０１１１】
本発明においては、陰圧閉鎖療法用具または排液管理用具として使用するだけでなく、創洗浄用バッグとして使用することもできる。
【０１１２】
例えば、褥瘡等においては、壊死した組織からは滲出液の滲出が起こらず、患部を湿潤環境に保つことができない。そのため、治癒が促進されないといった問題がある。
そこで、壊死組織を手術によって除去した後、傷用手当用具に患部を入れ、湿潤環境を維持することで治癒の促進を図ることができる。
【０１１３】
湿潤環境下にする方法としては、例えば２つの連通口４１（図１（ａ）参照）を設け、一方から生理食塩水等の液体を供給し、他方から排液等を排出する構成にすることで、湿潤環境を作り出すことができる。
これにより、排液量が多い場合には連通口４１から排液を吸引し、患部が乾いている場合には、連通口４１から生理食塩水等を加えて、湿潤環境を作り出すことも可能である。
さらに、生理食塩水等を流すことによって、壊死した組織を洗い流すことができるので、早期治癒を図ることができる。
なお、創傷用バッグ１に連通口４１（図１（ａ）参照）を複数設ける以外にも、連通口４１に複数本のカテーテルＣを挿入することで、対応しても良い。
【０１１４】
ここで、供給する液体としては、生理食塩水に限られず、例えば、血小板溶解液、血漿、あるいは血清などの自家、同種又は異種の血液又は血液製剤、血小板由来成長因子（ＰＤＧＦ）、血管内成長因子（ＶＥＧＦ）、形質転換成長因子α（ＴＧＦα）、あるいは形質転換成長因子β（ＴＧＦβ−１、２、あるいは３）、塩基性線維芽成長因子（ＦＧＦ２としても知られたｂ−ＦＧＦ）、上皮細胞成長因子（ＥＧＦ）、顆粒球マクロファージコロニー刺激因子（ＧＭ−ＣＳＦ）などの精製された天然タンパク質または組換え生成されたタンパク質の成長因子；インシュリン様成長因子−１（ＩＧＦ−１）及びケラチノサイト成長因子２（ＫＧＦ２（ＦＧＦ７としても知られている））；
インターロイキン１β（ＩＬ１β）又はインターロイキン８（ＩＬ−８）などの精製された天然タンパク質又は組換え生成されたタンパク質サイトカイン、その他の生理活性剤、及びそれらを組み合わせたものを供給することができる。
【０１１５】
また、メタロプロテアーゼ（ＴＩＭＰ１〜４）及びα１−抗トリプシン（ＡＡＴ）の組織阻害剤、アプロチニン、α−２−マクログロブリンなどの、精製された天然タンパク質または組換え生成されたタンパク質のタンパク質分解酵素阻害剤；
マトリクスメタプロテアーゼ（ＭＭＰ）の阻害剤、好中球エラスターゼ、トロンボスポンジンまたはカリスタチンなどの新血管形成（血管形成）の阻害剤の阻害剤などの、創傷滲出物からの創傷治癒に有害なプロセスまたは物質を抑制または不活化する不適切なレベルの抗体または化学合成された分子；及び
それらを組み合わせたものを供給しても良い。
【０１１６】
かかる実施形態により、患部を適度な湿潤環境におくことができるため、早期治癒を図ることができる。
【０１１７】
第４実施形態においては、滲出液などの量に応じて吸引手段を使用するかどうかを選択することができる。
また、ドレナージチューブＤと排出口具４２を接続する間に逆流防止弁を設けることにより、吸引手段によって吸引した後に、吸引手段を取り外しても、カバー１０内を陰圧に保つことができる。
さらに、逆流防止弁の向きを変えることによって、カバー１０内を加圧した際に、カバー１０内を加圧した状態で維持することができる。これにより、リハビリを行いやすくすることができる。
【０１１８】
（第５実施形態）
次に、第５実施形態の創傷用バッグ１の構成について、図７の斜視図により説明する。
図７の実施形態においては、開口部２０がカバー１０の上面に形成されている点で図１の実施形態と同じであるが、シール手段３０が、開口部２０に隣接する周囲部分を除いて、カバー１０の上面に接合されている点で、図１の実施形態とは異なる。即ち、図７の実施形態のシール手段３０は、開口部２０の隣接する周囲部分に、窓が開けられた構成を有している。
第５実施形態によっても、粘着力の低下および滲出液の漏れを防止するとともに、患部以外の身体に滲出液が触れることによる不快感を軽減することができる。
【０１１９】
以上、本発明の好適な実施形態について説明したが、本発明は前記実施形態に限定されず、本発明の趣旨を逸脱しない範囲で適宜変更可能である。例えば、開口部をカバーに２箇所設けることにとによって、スリーブ状の創傷用バッグとすることもできる。
このような構成とすることで、肘や膝などの関節部における創傷においても、患部以外の身体を拘束することなく陰圧閉鎖療法が実施できる。また、開口部をカバーの側面に設けることによって、スリーブ状の創傷用バッグにおいては液溜部が２箇所できる。これにより、どちらかの液溜部に滲出液が溜まるので、リハビリの体位によらず、用いることができる。
【０１２０】
なお、第３実施形態においては、変形膝関節症における膝関節全置換術後のドレナージ管理や、骨髄炎患者の閉鎖式持続洗浄法に用いることもできる。
第３実施形態にかかる傷用手当用具は、患部を外気から遮断し、気密に保護することができるため、感染症の虞を低減させることができる。また、医療従事者が患部の状態や滲出液等の量を視認しやすく、適切な処置を行うことができる。
【０１２１】
また、第１実施形態においては、１枚の貼付材を用いてシール手段を形成したが、これに限られるものではなく、例えば、２枚の貼付材をカバーに貼り合わせる事で形成してもよい。
【０１２２】
さらに、本発明においては、開口補助手段を設けてもよい。例えば、開口部付近に紐等を設置しておき、これを引っ張りあげることにより開口部を開く構成を設けてもよい。
このとき、好ましい紐の位置としては、患部挿入の際に邪魔にならない位置であって、開口部周囲に設置することが好ましい。より好ましくは、カバーに接合されているシール手段の領域であって、開口部よりも患部挿入方向側（手の場合であれば指側）に設けられていることが好ましい。
【０１２３】
また、開口補助手段としては、紐に限られず、引っ張りあげることで開口部を開くことができる強度を有するものであれば、特に限定されるものではない。
かかる構成により、開口部を広げる際に、カバー内や粘着剤層が汚染されることがなく清潔に保つことができる。また、剥離シートを剥がすことで晒された粘着剤層が、予期せぬところでくっついてしまう虞もない。
なお、開口補助手段の数や位置は適宜変更可能である。
【図面の簡単な説明】
【０１２４】
【図１】第１施形態にかかる創傷用バッグの概略説明図であって、（ａ）は斜視図、（ｂ）は（ａ）のＸ−Ｘ矢視図、（ｃ）は（ｂ）のシール手段の部分拡大図である。
【図２】第１実施形態にかかるシール手段によって、カバーを身体に固着するための方法を段階的に示した説明図である。
【図３】第１実施形態にかかる使用状態を示す部分切り欠き説明図である。
【図４】第２実施形態にかかる創傷用バッグの概略説明図であって、（ａ）は使用前の状態を示す斜視図、（ｂ）は使用中の状態を示す斜視図である。
【図５】第３実施形態にかかる連通部の構造を示す部分拡大図である。
【図６】第４実施形態にかかる連通部の構造を示す部分拡大図である。
【図７】第５実施形態にかかる創傷用バッグの概略説明用の斜視図である。
【符号の説明】
【０１２５】
１                          創傷用バッグ
１０                        カバー
２０                        開口部
２５                        液溜部
３０，３０ａ                シール手段
３００，３００ａ，３００ｂ  貼付材
３１０                      基材
３２０                      粘着剤層
３３０                      剥離シート
３４０                      支持体
４０                        連通部
４１                        連通口
４２                        排出口具
４２ａ                      栓
４２ｂ                      口具本体
５０                        ファスナー
６０                        ファスナー開口保持部材
７０                        吸収パッド
Ｂ                          身体
Ｃ                          カテーテル
Ｄ                          ドレナージチューブ
Ｊ                          コネクター
Ｓ                          スリット
Ｔ                          両面テープ
【図１】
0005246397.tif 000002
【図２】
0005246397.tif 000003
【図３】
0005246397.tif 000004
【図４】
0005246397.tif 000005
【図５】
0005246397.tif 000006
【図６】
0005246397.tif 000007
【図７】
0005246397.tif 000008